(57)【要約】【課題】複数の電気機器を点灯に並べたてデモモードを設定した場合、それぞれが全くバラバラのタイミングでデモモードを実行するため、バラバラに聞こえてくる音声がうるさく感じられてしまい効果的なデモンストレーションを行うことができない。【解決手段】デモモード中に報知手段２８を駆動するタイミングを電源と同期させて制御するように構成した。したがって同時に電源が投入された機器に関しては、報知手段２８を駆動するタイミングを同じくして報知音を同時に発することができるため、顧客に対して不快感を与えることなく効果的にデモンストレーションを行わせることができる。【選択図】図５
2007263529.tif 000002
【特許請求の範囲】
【請求項１】
機器の動作を制御する制御部と、機器の動作を指示するスイッチを複数有する操作部と、報知音を発する報知手段を備え、前記操作部のスイッチを特定操作することによって設定される店頭販売促進用のデモモードを有する電気機器において、前記制御部はデモモード実行中における前記報知手段を動作させるタイミングを電源と同期させて制御することを特徴とする電気機器。
【請求項２】
電源投入に伴って動作を開始し所定時間を計時する計時手段を有し、前記制御部は所定時間が経過するごとにデモモードが設定されているかを判定してデモモードが設定されていた場合に報知手段を動作させることを特徴とすることを特徴とする請求項１記載の電気機器。
【請求項３】
前記制御部はデモモード実行中に所定のスイッチ操作がされた場合には、報知手段を動作させることを特徴とする請求項２記載の電気機器。
【請求項４】
電源投入から計時手段が動作を開始するまでの起動時間が異なる制御部を用いる場合は、最も起動時間が長いものを計時手段の動作開始の基準とすることを特徴とする請求項２または３記載の電気機器。
【発明の詳細な説明】
【技術分野】
【０００１】
本発明は、操作部のスイッチを特定操作することによって実行される店頭販売促進用のデモモードを有するものであって、特にデモモードの実行中に報知音を発するように構成された電気機器に関するものである。
【背景技術】
【０００２】
最近の電気機器の多くは、店頭で展示する際に顧客の注意を引いたり、表示を自動的に切り換えて機能や特徴をわかりやすく提示したりするデモンストレーションを行うためのデモモードを備えていて、このデモモードを実行させると、ＬＣＤやＬＥＤ等によって構成される表示部の点灯パターンを順次変化させて運転状態や異常状態を表示するようになっている。
【０００３】
さらに、スピーカやブザー等の報知音を発する装置を備えた機器においては、表示部による視覚的効果だけでなく、定期的に報知音を発して聴覚的効果を狙うことでデモンストレーション効果を高めるようにしたものもある。
【０００４】
つまり報知音を発することで、例えば展示場所が高所であるために表示部が見えにくく視覚的な効果が得られにくい場合や、遠くにいる顧客に対しても商品の機能をアピールすることができるため非常に効果的なものである。
【０００５】
なお、通常使用時に不必要にそのようなモードに入ってしまうことがないように、操作部のスイッチの特殊な操作によってのみデモモードの設定が可能となるように構成されている。
【特許文献１】特開２００４−３３３０７９
【発明の開示】
【発明が解決しようとする課題】
【０００６】
ところで、このデモモードは、スイッチを操作してデモモードの設定をした時間を基準として実行されるようになっているため、デモモードのパターンが同じ製品であっても設定した時間が異なれば実行のタイミングも異なってしまう。そのため、大規模な販売店などでこのような電気機器を店頭に複数並べて、一つ一つ順にデモモードの設定操作を行った場合には、それぞれが全くバラバラのタイミングでデモモードを実行することになる。
【０００７】
特にデモモード中に報知音が発せられる場合には、バラバラに聞こえてくる音がうるさく感じられてしまい、効果的なデモンストレーションを行えないばかりか、顧客に対して不快感を与えてしまうことになりかねない。
【０００８】
この問題を解消するためには、デモモードが全て同じタイミングで実行されればよいのだが、スイッチ操作をした時点からデモモードが実行されるように構成された機器においては、複数の機器のデモモードを同じタイミングで実行させることは困難である。
【０００９】
本発明は、上記課題を解決するためのもので、顧客に対して不快感を与えずに、効果的にデモンストレーションを行うことのできる電気機器を提供することを目的とする。
【課題を解決するための手段】
【００１０】
本発明は、機器の動作を制御する制御部と、機器の動作を指示するスイッチを複数有する操作部と、報知音を発する報知手段を備え、前記操作部のスイッチを特定操作することによって設定される店頭販売促進用のデモモードを有する電気機器において、前記制御部はデモモード実行中における前記報知手段を動作させるタイミングを電源と同期させて制御することを特徴とする電気機器である。
【００１１】
また、電源投入に伴って動作を開始し所定時間を計時する計時手段を有し、前記制御部は所定時間が経過するごとにデモモードが設定されているかを判定してデモモードが設定されていた場合に報知手段を動作させることを特徴とすることを特徴とする請求項１記載の電気機器である。
【００１２】
また、前記制御部はデモモード実行中に所定のスイッチ操作がされた場合には、報知手段を動作させることを特徴とする請求項２記載の電気機器である。
【００１３】
また、電源投入から計時手段が動作を開始するまでの起動時間が異なる制御部を用いる場合は、最も起動時間が長いものを計時手段の動作開始の基準とすることを特徴とする請求項２または３記載の電気機器である。
【発明の効果】
【００１４】
上述のように構成することにより、同時に電源が投入された機器に関しては、デモモード実行中に発せられる報知音のタイミングを同じくすることができるため、顧客に対して不快感を与えることなく効果的にデモンストレーションを行わせることができる。
【発明を実施するための最良の形態】
【００１５】
好適と考える本発明の最良の形態を、本発明の作用効果を示して簡単に説明する。
【００１６】
本発明は、操作部のスイッチを特定操作することによって設定される店頭販売促進用のデモモードを有する電気機器において、デモモードが設定された場合に報知手段が動作するタイミングを電源と同期させるように構成したものである。
【００１７】
つまり、デモモード中にスピーカやブザー等から報知音を発するように構成されている機器に関しては、報知音はスイッチ操作によって設定されたタイミングで発せられるのではなく、電源投入と同期したタイミングによって発せられるようになっている。
【００１８】
詳しくは、電源投入から所定の時間ごとにデモモードの設定がなされているかを判定し、デモモードが設定されていると判定された場合にはこの時点で報知手段を動作させるように構成される。そのため、報知音は電源投入から所定の時間ごとに繰り返し発せられるのである。
【００１９】
したがって、複数の機器が同じ電源に繋がれていて、同時に電源が投入されたのであれば、スイッチを操作してデモモードを設定したタイミングに関係なく、電源投入から所定時間ごとの同じタイミングで報知手段が動作することになる。そのため、複数の機器に対してデモモードを設定しても報知音が発せられるタイミングがずれてしまうことはないので、顧客に対して不快感を与えることなく効果的にデモンストレーションを行うことができるのである。
【実施例１】
【００２０】
以下、電気機器としてファンヒーターを例に用い、本発明の具体的な実施例を図面に基づいて説明する。
【００２１】
図１はファンヒーターの外観図であって、筐体１の内部には液体燃料を供給するカートリッジタンク２、カートリッジタンク２から給油される液体燃料を溜めておく油受皿３、油受皿３から供給された液体燃料を加熱して気化ガスとする気化器４、気化ガスを燃焼させる燃焼部５が設けられている。そして、筐体１の正面には各種操作を指示したりや運転状態を表示する操作パネル６、温風を吹出す吹出口７が設けられている。
【００２２】
図２は操作パネル６の拡大図であって、操作パネル６は複数のスイッチからなる操作部８と、ＬＣＤによって構成されファンヒーターの運転状態等を表示する液晶表示部９から構成されている。
【００２３】
操作部８には、運転および運転停止を指示する運転スイッチ１０、所定時間燃焼が継続した際に運転の延長を指示する運転延長スイッチ１１、液晶表示部９の表示を切り換える表示切換スイッチ１２、タイマー運転を設定するタイマースイッチ１３、燃焼量を抑えて運転させるひかえめスイッチ１４、設定温度やタイマー時刻などを設定する温度／時刻調節スイッチ１５、スイッチ操作を制限して誤操作を防止するためのチャイルドロックスイッチ１６が設けられている。
【００２４】
液晶表示部９の中央はセグメント表示部１７であって、運転中には室内温度や設定温度が、運転停止中には現在時刻が表示される。そしてセグメント表示部１７の下方にはチャイルドロックが設定中であることを示すサインや、フィルターや換気といった使用者に対して注意を促すサインが表示されるようになっている。
【００２５】
また、操作パネル６には運転状態を表示する手段として液晶表示部９の他にＬＥＤによって構成された表示ランプも備えられており、この表示ランプとしてはファンヒーターが運転中であることを示す運転ランプ１８、所定時間運転が継続した場合に点滅する運転延長ランプ１９、タイマー運転が設定されていることを示すタイマーランプ２０、ひかえめ運転が設定されていることを示すひかえめランプ２１、カートリッジタンク２の液体燃料がなくなったときに点滅する給油予告ランプ２２、油受皿３の液体燃料が残り少なくなったときに点滅する給油ランプ２３、ファンヒーターの運転停止の指示があり消火時の臭いを抑えるために消臭制御を行っているときに点滅する消臭ランプ２４が設けられている。
【００２６】
さらに、図３はファンヒーターの制御系統を表したブロック図であり、操作部８からの指示や温度センサ２５等からの入力によってファンヒーターの動作を制御する制御部２６には、電源投入に伴って動作を開始し所定時間を計時する計時手段２７が設けられている。そして、報知音を発する報知手段２８は、制御部２６からの指示によってブザー音やメロディーを発し、報知を行うようになっている。
【００２７】
ここで、上述の構成のファンヒーターにおける、通常運転時の動作について説明する。
【００２８】
まず、操作パネル６の運転スイッチ１０を押すと、ファンヒーターの運転開始が指示されるので、運転ランプ１８が点灯するとともに気化器４の加熱が開始される。そして、油受皿３の液体燃料は気化器４に供給され、液体燃料が気化器４で加熱されて気化ガスとなり、気化ガスと一次空気が混合された予混合ガスが燃焼部５で燃焼されて燃焼排ガスが発生する。この燃焼排ガスは空気と混合されて吹出口７から温風となって吹出すことで室内を暖めるようになっている。
【００２９】
運転が継続している間は、ファンヒーターの運転状態や操作部８の各種スイッチによる運転指示は、液晶表示部９や各種表示ランプの点灯状態によって表示されるようになっており、さらに、液体燃料が残り少なくなったり所定時間運転が継続した場合などは、これら表示に加えて報知手段２８からブザー音やメロディーによっても報知が行われる。
【００３０】
例えば、使用者に給油を促す場合、まずカートリッジタンク２の液体燃料がなくなったときは、制御部２６は給油予告ランプ２２を点滅させるとともに、メロディーによる報知を行うよう報知手段２８に信号を送る。使用者は、メロディーを聞くことでそろそろ給油が必要であることが操作パネル６を見なくても分かるため、速やかに給油を行うことができる。しかしながら、もし液体燃料の補給が行われずに燃焼が継続し、油受皿３の液体燃料が消費されて残り少なくなったときには、給油予告ランプ２２を消灯して、その代わりに給油ランプ２３を給油予告ランプ２２よりも早い間隔で点滅させるとともに、再度メロディーによる報知を行うよう報知手段２８に信号を送る。このとき、給油予告ランプ２２と給油ランプ２３が点滅した場合とでは、同じメロディーでもテンポを変えることによって、そろそろ給油が必要なのかそれともすぐに給油が必要なのかをわかりやすくすることができる。
【００３１】
また、所定時間運転が継続した場合にも、制御部２６は運転延長ランプ１９を点滅させるとともに、報知手段２８に信号を送りメロディーによる報知を行わせる。このとき、給油の報知と運転延長の報知とで報知手段２８からは異なるメロディーを流すようにすれば、使用者はメロディーを聞き分けることで報知の内容を理解することができる。
【００３２】
なお、通常運転時に不必要にデモモードが設定されてしまうことがないよう、デモモードは操作部８のスイッチを特定の順序で操作することによって設定される。例えば本実施例では、タイマースイッチ１３を押下しながら温度／時刻調節スイッチ１５を５回連続操作することによってデモモードが設定されるようになっている。
【００３３】
上述の操作によりデモモードが設定されて実行されているときには、液晶表示部９や各種表示ランプは所定のパターンで点灯・消灯を繰り返すことによって表示を行うとともに、報知手段２８からは報知音であるメロディーが流れる。
【００３４】
ここで図４はデモモード中における液晶表示部９や各種表示ランプの表示パターンを示した図である。表示は１２秒間を１周期としてパターンが決められていて、スイッチ操作によりデモモードが設定された時点から表示が開始される。
【００３５】
液晶表示部９では、セグメント表示部１７に時刻や温度が表示されるとともに、チャイルドロック、フィルター、換気の各サインが順に表示される。また、表示ランプについては、運転ランプ１８は常に点灯し、運転延長ランプ１９と消臭ランプ２４は等間隔で点滅を繰り返すようになっており、さらに給油予告ランプ２２が３回点滅した後に給油ランプ２３が給油予告ランプ２２よりも早い間隔で点滅する。そして、図中には示されていないが、タイマーランプ１９とひかえめランプ２０はスイッチが操作されるごとに点灯と消灯が切り替わり、通常運転時の表示を再現するのである。
【００３６】
次に、デモモード中における報知手段２８の動作が実行されるタイミングについて図５のタイムチャートを用いて説明する。この図は、報知パターンが同じである複数の電気機器（製品１、２、３・・・X）が同じ電源に繋がれていて、同時に電源が投入されたものである場合を示している。
【００３７】
それぞれの製品において、制御部２６の計時手段２７は、コンセントに電源プラグが差し込まれてファンヒーターに電源が投入されると計時を開始するようになっており、計時手段２７が計時した時間が所定時間Ｔ（本実施例ではＴ＝１８０秒とする）に達すると制御部２６ではデモモードが設定されたかを判定し、デモモードが設定されている場合には報知手段２８が駆動されて報知音が発せられる。そして、それと同時に、計時手段２７の計時内容はリセットされて再び計時が開始される。
【００３８】
したがって、図５では電源が投入されてから最初の１８０秒間の間に、製品１と製品２にデモモードが設定されているため、製品１と製品２は電源投入から１８０秒後に同時に報知手段２８から給油の報知をする際のメロディーＡが流れる。このメロディーは十数秒程度の長さであるため、一度流れたあとは報知手段２８は停止し、次の実行指令を待つ音声待機状態となる。
【００３９】
そして、計時手段２７がリセットされてから再び計時を開始した後、さらに所定時間Ｔである１８０秒が経過すると、制御部２６はデモモードが設定されているかどうかを判定し、デモモードが設定されている場合にはメロディーを発するよう報知手段２８を駆動する。図ではこの１８０秒の間に製品３にもデモモードが設定されたので、製品１〜３の報知手段２８が駆動される。よって、製品１〜３の報知手段２８からは運転延長を報知するメロディーＢが同時に流れてくることとなる。
【００４０】
つまり、電源が投入されている間は、計時手段２７は所定時間Ｔの計時とリセットを繰り返しているので、製品１、２、３・・・Xの制御部２６はデモモードが設定されている場合には、計時手段２７をリセットするタイミングに合わせて報知手段２８を駆動するのである。
【００４１】
よって、報知手段２８からメロディーが流れるタイミングは、計時手段２７が計時する電源投入から所定時間Ｔごとの同じタイミングとなる。そのため、このように複数の機器が同じ電源に繋がれていて、同時に電源が投入された場合には、デモモードをバラバラに設定したとしても、メロディーの流れてくるタイミングを同じにすることができるので、顧客に対して不快感を与えることなく効果的にデモンストレーションを行うことができる。
【００４２】
本実施例では、報知手段２８から流れるメロディーは２種類であるが、種類を増やしたり、好きなメロディーを選択できたりするようにしてもよい。
【００４３】
なお、制御部２６を構成するマイコンによっては、初期化するＲＡＭ領域やクロック周波数の違いなどから、電源が投入されてから計時手段２７が計時を開始するまでの起動時間が異なる場合がある。この起動時間の違いは０．何秒というごくわずかなものでしかないのだが、報知音のタイミングがわずかでもずれると音がダブって聞こえてくるため、不快に感じられてしまう。したがって、機器によって異なるマイコンを用いた場合にはＲＡＭ領域の初期化回数を調整するなどして、起動時間を遅い方のマイコンに合わせることで計時手段２７の動作開始が同じくなるようにする必要がある。
【実施例２】
【００４４】
本発明の実施例２は、実施例１に示されているファンヒーターと基本的な構成およびデモモード中における報知手段２８が動作するタイミングは同じであるが、報知手段２８はメロディーを発するだけでなく、スイッチを操作したときや表示ランプが点灯したときなどは、それに対応した音声ガイドによる報知を行うこともできるようになっている。
【００４５】
そのため、デモモード中に報知手段２８が動作すると、給油を報知するメロディーＡが流れた後に「まもなく灯油がなくなります、給油して下さい」と音声ガイドが発せられ、次に運転延長を報知するメロディーＢが流れた後に「まもなく自動消火します、延長ボタンをして下さい」と音声ガイドが発せられる。
【００４６】
また、デモモード実行中には、液晶表示部９や表示ランプによるデモンストレーションは行われているが、報知手段２８は停止していてメロディーが流れてこない音声待機状態がある。このとき、操作部８の所定のスイッチを操作すると、報知手段２８からその操作に対応した音声ガイドが発せられる。
【００４７】
例えば、運転スイッチ１０を操作したのであれば「運転を開始します」、タイマースイッチ１３を操作したのであれば「タイマーを受け付けました」と音声ガイドによる報知が行われる。この報知によっては計時手段２７はリセットされないため、所定時間Ｔ経過後に報知手段２８が動作するから、メロディーの流れるタイミングをずらしてしまうことなく効果的なデモンストレーションを行うことができる。
【図面の簡単な説明】
【００４８】
【図１】本発明の電気機器の一例であるファンヒーターの斜視図である。
【図２】本発明の操作パネルの説明図である。
【図３】本発明の制御部のブロック図である。
【図４】本発明のデモモードにおける表示パターンの説明図である。
【図５】本発明のデモモードにおける報知手段の動作を説明するタイムチャートである。
【符号の説明】
【００４９】
８    操作部
２６  制御部
２７  計時手段
２８  報知手段
【図１】
2007263529.tif 000003
【図２】
2007263529.tif 000004
【図３】
2007263529.tif 000005
【図４】
2007263529.tif 000006
【図５】
2007263529.tif 000007